(57)【要約】【課題】複数のデジタル記録機器がネットワーク接続される装置において、録画された所望の番組を容易に検索することができる放送受信装置を提供する。【解決手段】複数の録画機器が接続される接続端子と、前記複数の録画機器のうち任意の選択された録画機器に記録されている複数番組の番組名を含むライブラリを表示するライブラリ表示手段と、録画番組を検索するための検索条件情報を入力するための画面を表示する検索画面表示手段と、前記検索画面に検索条件が入力されたときに、前記検索条件に整合する録画番組を前記選択された録画機器の記録情報からサーチし、その番組名を含む番組リストを検索結果画面として表示する検索結果表示手段とを有する。【選択図】  図１５
2006094442.tif 000002
【特許請求の範囲】
【請求項１】
複数の録画機器が接続される接続端子と、
前記複数の録画機器のうち任意の選択された録画機器に記録されている複数番組の番組名を含むライブラリを表示するライブラリ表示手段と、
録画番組を検索するための検索条件情報を入力するための画面を表示する検索画面表示手段と、
前記検索画面に検索条件が入力されたときに、前記検索条件に整合する録画番組を前記選択された録画機器の記録情報からサーチし、その番組名を含む番組リストを検索結果画面として表示する検索結果表示手段と、
を具備したことを特徴とする放送受信装置。  
【請求項２】
前記検索結果表示手段は、録画中の番組名についても前記検索結果画面の番組リストに含めて表示する手段を含むことを特徴とする請求項１記載の放送受信装置。
【請求項３】
前記録画中の番組名についても前記検索結果画面の番組リストに含めて表示する場合、録画中番組であることを識別できるように、当該番組名に録画中マークあるいは文字を付して表示する手段を含むことを特徴とする請求項２記載の放送受信装置。
【請求項４】
前記検索結果表示手段は、前記検索結果画面の番組リストに、検索した番組の少なくとも番組名を順番に並べて表示し、最初にサーチした番組のプレビューを表示する手段を含むことを特徴とする請求項１記載の放送受信装置。
【請求項５】
前記検索結果表示手段は、前記検索結果画面の番組リストに、検索した番組の少なくとも番組名を順番に並べて表示し、番組名の位置にカーソルを合わせると、プレビューを開始する手段を含むことを特徴とする請求項１記載の放送受信装置。
【請求項６】
前記検索画面表示手段は、リモートコントローラのカラーキーを操作することで起動するように設定されていることを特徴とする請求項１記載の放送受信装置。
【請求項７】
再生手段として、上記検索結果画面の番組リストに並べられた番組の順に番組の頭だしを行い、再生を行う機能をさらに有することを特徴とする請求項１記載の放送受信装置。
【請求項８】
再生手段として、上記検索結果画面の番組リストの中から、最近録画された番組順に再生する機能をさらに有することを特徴とする請求項１記載の放送受信装置。
【請求項９】
前記検索結果表示手段は、前記検索結果画面の番組リストに、検索した番組の少なくとも番組名を順番に並べて表示し、番組名の位置にカーソルを合わせ、再生操作を行うと、プレビューを開始する手段と、  再生できない番組名にカーソルが位置するときは、再生できない旨のメッセージを表示する手段を含むことを特徴とする請求項１記載の放送受信装置。
【請求項１０】
前記検索結果表示手段は、前記検索結果画面の番組リストに、検索した番組の少なくとも番組名を順番に並べて表示し、番組名の位置にカーソルを合わせ、再生操作を行うと、プレビューを開始する手段と、  再生できない番組名はトーンダウンさせて表示する手段を含むことを特徴とする請求項１記載の放送受信装置。
【発明の詳細な説明】
【技術分野】
【０００１】
この発明は、例えばデジタルテレビジョン放送等を受信する放送受信装置の改良に関し、特に複数の録画機器が接続された装置において、録画済みの番組検索機能を有するものである。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【０００６】
特許文献１には、インターネット受信機能を備えたテレビジョン受像機で、テレビジョン信号の音声をスピーカ出力している状態でも、電話回線による接続状態を認識可能とした構成が開示されている。
【特許文献１】特開平１０−１３６２７５号公報
【発明の開示】
【発明が解決しようとする課題】
【０００７】
上記のように複数のデジタル記録機器をネットワーク接続可能とした場合、各記録機器を管理する必要が生じる。また、記録媒体も大容量化しているために、記録機器に録画されている番組数も非常に多くなることが十分予想される。このような場合、ユーザは、録画した番組をサーチするためには、多大な労力を必要とする。
【０００８】
そこでこの発明は、上記事情を考慮してなされたもので、複数のデジタル記録機器がネットワーク接続される装置において、録画された所望の番組を容易に検索することができる放送受信装置を提供することを目的とする。
【課題を解決するための手段】
【０００９】
この発明に係る放送受信装置は、前記複数の録画機器のうち任意の選択された録画機器に記録されている複数番組の番組名を含むライブラリを表示するライブラリ表示手段と、録画番組を検索するための検索条件情報を入力するための画面を表示する検索画面表示手段と、前記検索画面に検索条件が入力されたときに、前記検索条件に整合する録画番組を前記選択された録画機器の記録情報からサーチし、その番組名を含む番組リストを検索結果画面として表示する検索結果表示手段を備える。また前記検索結果表示手段は、録画中の番組名についても前記検索結果画面の番組リストに含めて表示する手段を含む。
【発明の効果】
【００１０】
上記した発明によれば、所望の番組を容易に検索することが可能となる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また地上波アナログ信号を受信するアナログチューナ６８も設けられている。アナログチューナ６８で受信された信号は、アナログ復調器６９で復調され信号処理部４７に出力される。
【００２６】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２９】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３１】
また、上記音声処理部５３は、入力されたデジタルの音声信号を、前記スピーカ１５で再生可能なフォーマットのアナログ音声信号に変換し、スピーカ１５に出力して音声再生させる。
【００３２】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３４】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３５】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３６】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３７】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３８】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３９】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４０】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４１】
図４は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図５に示すような番組表を映像表示器１４に表示させる。
【００４２】
すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定する  ことも行なわれる。
【００４３】
そして、制御部５６は、ステップＳ４で、記録予約した設定時間に達した場合、予約設定された番組を予約設定されたデジタル記録機器に記録するように、記録動作を実行する。
【００４４】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４５】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４６】
以上の記録動作により、ユーザは、デジタルテレビジョン放送受信装置１１の各端子２１〜２４に接続されている複数のデジタル記録機器を任意に選択して、番組を記録させていくことが可能になる。
【００４７】
図６は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００４８】
すると、制御部５６は、ステップＳ１１で、faceネット（ナビゲーション）を起動させ、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００４９】
ここで、ユーザは、ステップＳ１２で、リモートコントローラ１７のカーソルキー１７ｆを操作して「録画番組」の項目を選択する。すると、制御部５６は、図８にハッチングで示すように、「録画番組」の項目を選択した状態となる。
【００５０】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５１】
この最近録画した番組の一覧は、図４で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５２】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５３】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５４】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５５】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５６】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００５７】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００５８】
さらに、このデジタルテレビジョン放送受信装置１１は、図９に示した最近録画した番組の一覧表の右側の画面をスクロールさせることにより、図１０に示すように、接続機器の一覧画面を表示させることができる。この接続機器の一覧画面では、各端子２１〜２４に接続されている機器を全て（但し、ブロードバンドルータ３１が接続されている場合はそこまで）一覧表示することができる。
【００５９】
この機器一覧において、第１のＬＡＮ端子２１に対応するＬＡＮ１には、それがＬＡＮ対応ＨＤＤ専用ポートであることを示すアイコンが付され、第２のＬＡＮ端子２２に対応するＬＡＮ２には、それが一般的なＬＡＮ対応ポートであることを示すアイコンが表示されている。
【００６０】
そして、この接続機器の一覧表示画面から、所望のデジタル記録機器をカーソルキー１７ｆで選択し決定キー１７ｇで決定すると、図１１に示すように、その選択決定されたデジタル記録機器に記録されている番組の一覧がライブラリとして表示される。
【００６１】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６２】
つまり、例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００６３】
また、ページ切換キー１７ｉは、カーソルキー１７ｆに対応させて設置されるので、移動方向を容易に認識することができる。このページ切換キー１７ｉによって切換可能な画面としては、例えば、図５に示した番組表、図９に示した最近録画した番組の一覧表等がある。
【００６４】
また、このデジタルテレビジョン放送受信装置１１は、図１１に示した番組表の表示状態で、リモートコントローラ１７の黄色のカラーキー１７ｍを操作することにより、図１２に示すような、番組検索画面１２A１を表示する。即ち、このライブラリ画面（図１１）の表示状態で、リモートコントローラ１７の黄色のカラーキー１７ｍを操作すると、図１２に示すような番組検索画面１２A１が表示される。この番組検索画面では、ジャンル、キーワード、日付、チャンネル、検索場所の各項目１２B1、１２B2、１２B3、１３B4を入力することができる。検索開始１２B５を指示すると該当する番組を検索する。検索の結果、選択決定されたデジタル記録機器に記録されている番組の中から、検索条件に対応した番組が検索されて一覧表示される。
【００６５】
ここで、ジャンル、キーワード、日付、などが指定されていないと、警告画面１２A2が得られ“ジャンル、キーワード、日付を入力してください。”のメッセージが表示される。
【００６６】
検索条件が十分入力されていると、番組検索が実行される。検索の結果、番組が見つからない場合には、図１３に示す画面１２A3に示すように、“該当する番組はありませんでした”というメッセージが表示される。ここで、決定キーを押すと、画面１２A１に戻る。該当する番組が見つかると、図１３の画面１２A４に示すように、番組名、日時情報を含む番組リストが表示される。そして最初に見つかった番組に関しては、プレビューが実効される。
【００６７】
ここで本発明に係る装置では、番組検索を実行した際、現在録画中の番組も番組検索画面が表示することができる。図１４には、番組検索画面１２A４内に、現在録画中の番組の情報１２C1、が表示された様子を示している。しかもこの情報１２C１内には、録画中であることを示す文字あるいはマーク１２C2が含まれて表示される。
【００６８】
さらに番組検索機能についてより具体的に説明すると以下のようになる。図１５は、この録画番組検索機能による検索動作を説明するためのフローチャートを示している。この動作は、ユーザがリモートコントローラ１７のfaceネットキー１７ｊを操作することにより開始（ステップＳ１４ａ）される。すなわち、制御部６１は、ステップＳ１４ｂで、faceネットキー１７ｊの操作を検知すると、ステップＳ１４ｃで、faceネット（ナビゲーション）を起動させ、図８に示したナビゲーション画面を映像表示器１４に表示させる。
【００６９】
ナビゲーション画面では、「テレビ」、「録画番組」、「写真」、「インターネット」、「Ｅメール」の５つの項目が表示される。項目の選択は、リモートコントローラ１７のカーソルキー１７ｆを操作して所望の項目を選択し、決定キー１７ｇを操作することにより実行される。選択された項目は、画面上で他の項目と色を変えて表示される。
【００７０】
ユーザが「録画番組」の項目を選択し、さらにその中に含まれる「機器選択」の項目を選択設定すると、制御部６１は、ステップＳ１４ｄで、図１０に示した機器選択画面を表示させる。
【００７１】
機器選択画面では、第１及び第２のＬＡＮ端子２１，２２、ＵＳＢ端子２３、ｉ．Link端子２４に接続されている各種の機器、または、カードホルダ６６，６８に装着されているメモリカード１９，２０等が、制御部６１の認識している最新の情報に基づいて一覧表示される。このため、ユーザは、機器選択画面から所望の機器またはメモリカードを選択することができる。
【００７２】
制御部６１は、機器選択画面から特定のデジタル録画機器（例えば第１のＬＡＮ端子２１に接続されたＮＡＳであるＨＤＤ２５）が選択されたことを検知した場合、ステップＳ１４ｅで、ＨＤＤ２５に問い合わせて、図１１に示すようなライブラリ画面を表示させる。
【００７３】
このライブラリ画面には、ＨＤＤ２５に録画されている全番組の一覧が表示される。この場合、各番組に対して、タイトル、チャンネル、録画日時、ジャンル、画質等が表示されている。また、このライブラリ画面には、現在録画中の番組も「録画中」のアイコンが付されて表示可能である。
【００７４】
このライブラリ画面の場合、一画面には最大で６つの番組が表示されるが、それ以上の数の番組が録画されている場合には、リモートコントローラ１７のカーソルキー１７ｆを操作して、上下にスクロールさせることで全ての番組を表示させることができる。
【００７５】
なお、ＨＤＤ２５には、番組をフォルダ形式で格納することができる。例えば「スポーツ関係」というフォルダを作成し、そのフォルダの下に「オリンピック」、「町内運動会」等のフォルダを作成し、「オリンピック」のフォルダの下にさらに「マラソン」、「水泳」等のフォルダを作成するというように、階層的に録画番組を管理することが可能となっている。図１１に示すライブラリ画面では、フォルダが作成されている場合、その最上階のフォルダ（図１１では「スポーツ関係」）が表示されるようになっている。
【００７６】
そして、制御部６１は、ライブラリ画面の表示状態でリモートコントローラ１７の黄色のカラーキー１７ｍが操作されたことを検知した場合、ステップＳ１４ｆで、図１６に示すような録画番組検索画面を表示させる。
【００７７】
この録画番組検索画面では、「ジャンル」、「キーワード」、「日付」、「チャンネル」、「検索場所」の５つの検索条件を設定可能となっている。そして、制御部６１は、ライブラリ画面に表示される全番組、つまり、ＨＤＤ２５に録画されている全番組の中から、５つの検索条件のうちの少なくともいずれか１つに該当する番組を検索する。
【００７８】
なお、５つの検索条件のうちの全てでない複数種類の組み合わせ、つまり、いずれか２つ、いずれか３つ、または、いずれか４つの論理積や論理和に該当する番組を検索するように設定することも可能である。また、５つの検索条件全ての論理積や論理和に該当する番組を検索するように設定することも可能である。これらの設定は、ユーザの操作によって実現される。
【００７９】
すなわち、制御部６１は、ユーザが録画番組検索画面の中から検索条件として「ジャンル」を選択すると、ステップＳ１４ｇで、図１７に示すようなジャンル設定画面を表示させる。
【００８０】
このジャンル設定画面では、「映画」、「洋画」、「邦画」、「スポーツ」等々の複数のジャンルを示す項目が一覧表示され、ユーザが任意のジャンルに対応する項目を選択することができるようになっており、設定されたジャンルに対応する番組検索が可能となっている。なお、「指定しない」の項目を選択することにより、ジャンルを検索条件として指定しないことも可能である。
【００８１】
ジャンルの設定が正しく終了した場合、または、リモートコントローラ１７の戻るキー１７ｋが操作された場合、再び、図１６に示した録画番組検索画面に戻る。そして、制御部６１は、ユーザが録画番組検索画面の中から検索条件として「キーワード」を選択すると、ステップＳ１４ｈで、図１８に示すようなキーワード設定画面を表示させる。
【００８２】
このキーワード設定画面では、ユーザが最大で１４個のキーワードを設定可能となっており、例えば設定されたキーワードの論理和に基づいた番組検索が可能となっている。なお、「指定しない」の項目を選択することにより、キーワードを検索条件として指定しないことも可能である。
【００８３】
キーワードの設定が正しく終了した場合、または、リモートコントローラ１７の戻るキー１７ｋが操作された場合、再び、図１６に示した録画番組検索画面に戻る。そして、制御部６１は、ユーザが録画番組検索画面の中から検索条件として「日付」を選択すると、ステップＳ１４ｉで、図１９に示すような日付設定画面を表示させる。
【００８４】
この日付設定画面では、ユーザが、特定の日、または、何年何月何日から何年何月何日までのような期間を設定可能となっており、設定された日または期間内に録画された番組を検索可能となっている。
【００８５】
日付の設定が正しく終了した場合、または、リモートコントローラ１７の戻るキー１７ｋが操作された場合、再び、図１６に示した録画番組検索画面に戻る。そして、制御部６１は、ユーザが録画番組検索画面の中から検索条件として「チャンネル」を選択すると、ステップＳ１４ｊで、図２０に示すようなチャンネル設定画面を表示させる。
【００８６】
このチャンネル設定画面では、地上デジタル放送等の放送の形態毎にチャンネルを設定可能となっており、設定されたチャンネルで録画された番組を検索可能となっている。
【００８７】
チャンネルの設定が正しく終了した場合、または、リモートコントローラ１７の戻るキー１７ｋが操作された場合、再び、図１６に示した録画番組検索画面に戻る。そして、制御部６１は、ユーザが録画番組検索画面の中から検索条件として「検索場所」を選択すると、ステップＳ１４ｋで、図２１に示すような検索場所設定画面を表示させる。
【００８８】
この検索場所設定画面では、番組検索を行なうフォルダを指定するための検索場所を、階層に無関係に設定可能となっており、設定された１または複数のフォルダ内での、上記ジャンル、キーワード、日付、チャンネルを条件とした番組検索を可能としている。
【００８９】
検索場所の設定が正しく終了した場合、または、リモートコントローラ１７の戻るキー１７ｋが操作された場合、再び、図１６に示した録画番組検索画面に戻る。
【００９０】
以上のようにして、５つの検索条件がそれぞれ設定可能となる。５つの検索条件としては、上記のように、ジャンル、キーワード、日付、チャンネル、検索場所の順序で設定する必要はなく、いずれの条件から設定することも可能である。
【００９１】
このようにして５つの検索条件が設定された状態で、ユーザが録画番組検索画面の中から「検索開始」の項目を選択すると、制御部６１は、ステップＳ１４ｌで、ＨＤＤ２５に録画された全番組に対して、５つの検索条件に基づいた番組検索を実行する。この番組検索は、ＨＤＤ２５に問い合わせることによって実現される。そして、番組検索が終了すると、制御部６１は、図２２に示すような録画番組検索結果の画面を表示させ、処理を終了（ステップＳ１４ｍ）する。
【００９２】
この録画番組検索結果の画面では、指定されたデジタル録画機器または記録媒体（この場合ＨＤＤ２５）、５つの検索条件に基づいて検索された番組の一覧が表示される。
【００９３】
ここで、上記デジタルテレビジョン放送受信装置１１は、上記のようにして表示された録画番組検索結果の画面から、リモートコントローラ１７のカーソルキー１７ｆを操作して所望の番組を選択し、決定キー１７ｇを操作することにより、その番組を再生することができる機能を有している。
【００９４】
図２３は、選択された番組を再生する動作を説明するためのフローチャートを示している。すなわち、この動作が開始（ステップＳ２５ａ）されると、制御部６１は、ステップＳ２５ｂで、録画番組検索結果の画面から選択された番組を検知して、ステップＳ２５ｃで、その選択された番組が録画されているデジタル録画機器からその番組が再生可能であるか否かを判別する。
【００９５】
この判別は、例えば、記録された番組のフォーマットがデジタルテレビジョン放送受信装置１１での映像表示に対応しているか否か、記録された番組ファイルが破壊されているか否か、等々がある。
【００９６】
そして、上記ステップＳ２５ｃで再生可能であると判断された場合（ＹＥＳ）、制御部６１は、ステップＳ２５ｄで、対象となるデジタル録画機器から再生要求された番組の情報を読み出し、再生するように制御して、処理を終了（ステップＳ２４ｆ）する。
【００９７】
また、上記ステップＳ２５ｃで再生可能でないと判断された場合（ＮＯ）、制御部６１は、ステップＳ２５ｅで、要求された番組の再生が不可能である旨のメッセージを映像表示器１４に表示させて、処理を終了（ステップＳ２５ｆ）する。再生できない旨のメッセージはイムアウトする。
【００９８】
上記した実施の形態によれば、接続されたデジタル録画機器またはメモリカード等の記録媒体を指定し、ジャンル、キーワード、日付、チャンネル、検索場所等の検索条件を設定することにより、指定された録画機器または記録媒体から検索条件に対応した録画番組を検索可能としたので、ネットワーク接続された複数の録画機器または記録媒体から所望の録画番組を迅速に検索することが可能となる。
【００９９】
また、上記した実施の形態では、ネットワーク接続されている複数の録画機器や記録媒体から特定の録画機器または記録媒体を指定し、その指定した録画機器または記録媒体の中から検索条件に基づいて番組を検索するようにしているが、これに限らず、例えば、ネットワーク上に全ての録画機器や記録媒体を一元管理するサーバを構築し、接続されている全ての録画機器や記録媒体を対象として検索条件に基づいた番組検索を行なえるようにすることも可能である。
【０１００】
上記したようにこの放送受信装置は、複数の録画機器が接続される接続端子と、  前記複数の録画機器のうち任意の選択された録画機器に記録されている複数番組の番組名を含むライブラリを表示するライブラリ表示手段と、録画番組を検索するための検索条件情報を入力するための画面を表示する検索画面表示手段と、前記検索画面に検索条件が入力されたときに、前記検索条件に整合する録画番組を前記選択された録画機器の記録情報からサーチし、その番組名を含む番組リストを検索結果画面として表示する検索結果表示手段とを有する。
【０１０１】
検索した番組を再生開始させる手段は各種の実施の形態が可能である。例えば、検索結果表示手段は、前記検索結果画面の番組リストに、検索した番組の少なくとも番組名を順番に並べて表示し、最初にサーチした番組のプレビューを表示する手段を含む。さらには、検索結果表示手段は、前記検索結果画面の番組リストに、検索した番組の少なくとも番組名を順番に並べて表示し、番組名の位置にカーソルを合わせると、プレビューを開始する手段を含む。カーソルを所望の番組に合わせたときに再生キーを操作してもよい。さらに、再生手段として、上記検索結果画面の番組リストに並べられた番組の順に番組の頭だしを行い、再生を行う機能を有してもよい。さらには、番組検索終了直後にそのまま放置することで、再生手段は、上記検索結果画面の番組リストの中から、最近録画された番組順に再生する機能を有してもよい。
【０１０２】
さらにまた検索結果表示手段は、前記検索結果画面の番組リストに、検索した番組の少なくとも番組名を順番に並べて表示し、番組名の位置にカーソルを合わせ、再生操作を行うと、プレビューを開始する手段と、  再生できない番組名にカーソルが位置するときは、再生できない旨のメッセージを表示する手段を有する。またメッセージは、時間経過すると消去される。また、検索結果表示手段は、前記検索結果画面の番組リストに、検索した番組の少なくとも番組名を順番に並べて表示し、番組名の位置にカーソルを合わせ、再生操作を行うと、プレビューを開始する手段と、  再生できない番組名はトーンダウンさせて表示する手段を有してもよい。
【０１０３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１０４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置の接続機器一覧表示画面の一例を説明するために示す図。
【図１１】同実施の形態におけるデジタルテレビジョン放送受信装置の特定の接続機器に記録された番組の一覧表示画面の一例を説明するために示す図。
【図１２】同実施の形態におけるデジタルテレビジョン放送受信装置の録画番組検索動作例を説明するために示した説明図。
【図１３】同実施の形態におけるデジタルテレビジョン放送受信装置の録画番組検索動作例を示し、図１２の続きを説明するために示す説明図。
【図１４】同実施の形態におけるデジタルテレビジョン放送受信装置の録画番組検索結果の表示画面の例を示す説明図。
【図１５】同実施の形態におけるデジタルテレビジョン放送受信装置の録画番組検索動作をさらに具体的に説明するために示すフローチャート。
【図１６】同実施の形態における録画番組検索動作の録画番組検索画面の一例を説明するために示す図。
【図１７】同実施の形態における録画番組検索動作のジャンル設定画面の一例を説明するために示す図。
【図１８】同実施の形態における録画番組検索動作のキーワード設定画面の一例を説明するために示す図。
【図１９】同実施の形態における録画番組検索動作の日付設定画面の一例を説明するために示す図。
【図２０】同実施の形態における録画番組検索動作のチャンネル設定画面の一例を説明するために示す図。
【図２１】同実施の形態における録画番組検索動作の検索場所設定画面の一例を説明するために示す図。
【図２２】同実施の形態における録画番組検索動作の録画番組検索結果の画面の一例を説明するために示す図。
【図２３】同実施の形態における録画番組検索結果の画面から選択された番組を再生する動作を説明するために示すフローチャート。
【符号の説明】
【０１０５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006094442.tif 000003
【図２】
2006094442.tif 000004
【図３】
2006094442.tif 000005
【図４】
2006094442.tif 000006
【図５】
2006094442.tif 000007
【図６】
2006094442.tif 000008
【図７】
2006094442.tif 000009
【図８】
2006094442.tif 000010
【図９】
2006094442.tif 000011
【図１０】
2006094442.tif 000012
【図１１】
2006094442.tif 000013
【図１２】
2006094442.tif 000014
【図１３】
2006094442.tif 000015
【図１４】
2006094442.tif 000016
【図１５】
2006094442.tif 000017
【図１６】
2006094442.tif 000018
【図１７】
2006094442.tif 000019
【図１８】
2006094442.tif 000020
【図１９】
2006094442.tif 000021
【図２０】
2006094442.tif 000022
【図２１】
2006094442.tif 000023
【図２２】
2006094442.tif 000024
【図２３】
2006094442.tif 000025